(57)【要約】【課題】肩紐補助部材が平型鋼線や硬質合成樹脂コード等からなることによって、ブラジャーを着用した際、肌に違和感（硬さ）を生じさせてしまう。【解決手段】肩紐補助部材４の一端側を肩紐３の中間部３ａに、他端側を同肩紐３の取付位置３ａから離れるべく前記アンダーベルト２のフック側２ｂの近傍に向けて斜めに連結せしめる。中間部３ａは、同中間部３ａを中心に肩紐３を回動させた際に、肩紐３の上半部の長さＬ１  が肩までの距離Ｌ２  を許容しないように設定することにより、肩紐３の遊動支点（回動支点）がアンダーベルトへ２の取付位置３ｂから同肩紐３の中間部３ａに変わり、その分、肩紐３の遊動範囲（ずれ落ち幅）が中間部３ａを中心にして小さくなるため、換言すれば、中間部３ａからは肩から落ちるだけの距離が確保できないため、頗る簡単な手段でもって確実に肩紐３のずれ落ちを阻止することができる。【選択図】  図４
2005076130.tif 000002
【特許請求の範囲】
【請求項１】
左右一対のカップ部と、該カップ部の遊端に連設されたアンダーベルトと、該アンダーベルトと前記カップ部との間に装着される肩紐と、同肩紐のずれ落ちを阻止せしめる肩紐補助部材とを備えてなるブラジャーにおいて、
前記肩紐補助部材は、一端側が肩紐の中間部に、他端側が同肩紐の取付位置から離れるべく斜めにして前記アンダーベルトの背面側に連結してなることを特徴とするブラジャー。
【請求項２】
肩紐補助部材の一端側を肩紐の中間部に、他端側を同肩紐の取付位置から離れるべく前記アンダーベルトのフック側の近傍に向けて斜めに連結せしめる際、前記中間部の位置を、肩紐の上半部の長さＬ１  が肩までの距離Ｌ２  を許容しないように設定して同肩紐の遊動支点をアンダーベルトの取付位置から前記中間部に変えるべく肩紐の遊動範囲を小さく規制したことを特徴とする請求項１に記載のブラジャー。
【請求項３】
前記肩紐補助部材は、肩紐の中間部とアンダーベルトの背面フック側との間に、着脱自在に取り付けるためのボタン、ホック等の止着手段を備えたことを特徴とする請求項１又は２に記載のブラジャー。
【請求項４】
肩紐を備えるブラジャー、スリップ、キャミソール、水着などの服飾類にあって、一端側が前記肩紐の中間部に、他端側が同肩紐の取付位置から離れるべく斜めに取り付けられたことを特徴とする肩紐補助部材。
【発明の詳細な説明】
【技術分野】
【０００１】
本発明は、主としてブラジャーの改良に関し、更に詳しくは、着用した際、違和感なく自然な形で肌にフィットできると共に、頗る簡単な手段でもって肩紐のずれ落ちを確実に阻止することができる低廉で有用な肩紐補助部材を装着してなるブラジャーに関する。
【背景技術】
【０００２】
一般的に、ブラジャーは、バストを美形に包持し、また、豊満さを醸し出すために多くの女性に愛用されてはいるものの、時として肩紐が肩からずれ落ちることがあり、その度に着用者は不快感を覚え、肩紐を元の位置に戻さなければならないといった動作が求められるものである。この傾向は、着用者の体型にもよるが、その多くは肩紐の調整が可能にもかからわず、調整するのが面倒であることに起因している。
【０００３】
従来、斯かる問題を解決せしめるブラジャーとして、例えば、左右一対のカップ部と、該カップ部の遊端に連設されたアンダーベルトと、該アンダーベルトと前記カップ部との間に装着される肩紐と、前記カップ部の上縁から肩紐部の少なくとも中間部にかけて装着された弾性芯材からなる肩紐補助部材とを備えたものが案出されている。
【特許文献１】特開平９−３２４３０６号公報
【発明の開示】
【発明が解決しようとする課題】
【０００４】
しかしながら、上述した従来のブラジャーにあっては、前記肩紐補助部材が、前記カップ部の上縁から肩紐部の少なくとも中間部にかけて装着された弾性芯材からなることによって、前記肩紐部に断面が袋状に形成された装着部を介在しなければならないといった手間を有するため、コスト高になってしまい、また、前記弾性部材が平型鋼線や硬質合成樹脂コード等からなることも相俟って、ブラジャーを着用した際、肌に違和感（硬さ）を生じさせてしまうといった問題を有するものである。
【０００５】
本発明はこのような従来の問題点に鑑みてなされたもので、着用しても違和感なく自然な形で肌にフィットできると共に、頗る簡単な手段でもって肩紐のずれ落ちを確実に阻止することができる低廉で有用な肩紐補助部材とブラジャーの提供を目的としたものである。
【課題を解決するための手段】
【０００６】
上述の如き従来の問題点を解決し、所期の目的を達成するため本発明の要旨とする構成は、左右一対のカップ部と、該カップ部の遊端に連設されたアンダーベルトと、該アンダーベルトと前記カップ部との間に装着される肩紐と、該肩紐のずれ落ちを阻止せしめる肩紐補助部材とを備えてなるブラジャーにおいて、前記肩紐補助部材は、一端側が肩紐の中間部に、他端側が同肩紐の取付位置から離れるべく斜めにして前記アンダーベルトの背面側に連結してなるブラジャーに存する。
【０００７】
また、肩紐補助部材の一端側を肩紐の中間部に、他端側を同肩紐の取付位置から離れるべく前記アンダーベルトのフック側の近傍に向けて斜めに連結せしめる際、前記中間部の位置を、肩紐の上半部の長さＬ１  が肩までの距離Ｌ２  を許容しないように設定して同肩紐の遊動支点をアンダーベルトの取付位置から前記中間部に変えるべく肩紐の遊動範囲を小さく規制するのが良い。
【０００８】
更に、前記肩紐補助部材は、肩紐の中間部とアンダーベルトの背面部との間に、角度をもって、かつ、着脱自在に取り付けするためのボタン、ホック等の止着手段を備えるのが良い。
【０００９】
また、本発明は、肩紐を備えるブラジャー、スリップ、キャミソール、水着などの服飾類にあって、一端側が前記肩紐の中間部に、他端側が同肩紐の取付位置から離れるべく斜めに取り付けられて肩紐のずれ落ちを阻止することを特徴とする肩紐補助部材に存する。
【発明の効果】
【００１０】
本発明は、前記肩紐補助部材の一端側が肩紐の中間部に、他端側が同肩紐の取付位置から離れるべく斜めにして前記アンダーベルトの背面側に連結したこと、延いては、前記中間部の位置を、肩紐の上半部の長さＬ１  が肩までの距離Ｌ２  を許容しないように設定して同肩紐の遊動支点をアンダーベルトの取付位置から前記中間部に変えるべく肩紐の遊動範囲を小さく規制したことによって、肩紐の遊動支点がアンダーベルトへの取付位置から同肩紐の中間部に変わり、肩紐の遊動範囲（ずれ落ち幅）が小さくなるため、確実に肩紐が肩からずれ落ちてしまうことを阻止できるといった効果を奏するものである。
【００１１】
また、前記肩紐補助部材が、肩紐の中間部とアンダーベルトの背面部との間に、角度をもって、かつ、着脱自在に取り付けるためのボタン、フック等の止着手段を備えれば、既存のブラジャーにも簡単に取り付けできると共に、着用した際でも、従来の如く違和感がなく、自然な形で肌にフィットできるものである。
【００１２】
更に、本発明は、肩紐を備えるブラジャー、スリップ、キャミソール、水着などの服飾類にあって、一端側が前記肩紐の中間部に、他端側が同肩紐の取付位置から離れるべく斜めに取り付けられて肩紐のずれ落ちを阻止せしめる肩紐補助部材であることによって、着用しても違和感なく自然な形で肌にフィットできると共に、頗る簡単な手段でもって肩紐のずれ落ちを確実に阻止することができ、また、構成が単純であるため大量生産に適し、価格も低廉なものとして需要者に提供できるなど、本発明を実施することはその実益的価値が甚だ大である。
【発明を実施するための最良の形態】
【００１３】
前記肩紐補助部材の一端側を肩紐の中間部に、他端側を同肩紐の取付位置から離れるべく斜めにして前記アンダーベルトの背面側に連結せしめることによって、肩紐の遊動支点がアンダーベルトへの取付位置から同肩紐の中間部へと変わるため、その分、肩紐の遊動範囲（ずれ落ち幅）が小さくなる。
【実施例１】
【００１４】
次に、本発明の肩紐補助部材を装着してなるブラジャーの実施の一例を図面を参照しながら説明する。図中Ａは、本発明に係るブラジャーであり、このブラジャーＡは、図１に示すように、左右一対のカップ部１，１と、該カップ部１，１の遊端に連設されたアンダーベルト２と、該アンダーベルト２と前記カップ部１，１との間に装着される肩紐３，３と、該肩紐３，３のずれ落ちを阻止せしめる肩紐補助部材４，４とを備えている。
【００１５】
肩紐３は、例えば、布、合成繊維、織布、不織布等の常套の紐材からなり、一端側がカップ部１の上縁１ａに、他端側が前記アンダーベルト２の背面部２ａ側（カップ部１に近い方）に連結されている。
【００１６】
肩紐補助部材４は、例えば、上述した肩紐３と同様な素材からなり、図２に示すように、一端側が肩紐３の中間部３ａに、他端側が同肩紐３の取付位置３ｂから離れるべく前記アンダーベルト２のフック側２ｂの近傍に向けて斜めに連結されている。
【００１７】
これは、ブラジャーを着用した際、肩紐補助部材４が肩紐３の内側に、恰も添え木のように斜めにあてがわれるため、肩紐３が外側（肩側）へと遊動する範囲（ずれ落ち幅）が規制される。
【００１８】
すなわち、肩紐３の中間部３ａの位置決めに際しては、図４に示すように、特に肩までの距離との関係が大事になり、中間部３ａを中心に肩紐３を回動させた際に、肩紐３の上半部の長さＬ１  が肩までの距離Ｌ２  を許容しないように、換言すれば、肩紐３の上半部の長さＬ１  が肩までの距離Ｌ２  よりも短くなるように設定されている。
【００１９】
これにより、肩紐３の遊動支点がアンダーベルト２への取付位置３ｂから同肩紐３の中間部３ａに変わり、その分、肩紐３の遊動範囲（ずれ落ち幅）が中間部３ａを中心にして小さくなるため、換言すれば、中間部３ａからは肩から落ちるだけの距離が確保できないため、頗る簡単な手段でもって確実に肩紐３のずれ落ちを阻止することができるのである。
【００２０】
尚、本発明は、本実施例に限定されることなく、本発明の目的の範囲内で自由に設計変更し得るものであり、本発明はそれらの全てを包摂するものである。
【００２１】
例えば、本実施例で示したブラジャーのカップ部１、アンダーベルト２、肩紐３及び肩紐ずれ防止部材４の形、大きさ等のデザインは、これらに限定されることなく、自由に設計変更できるものであり、また、肩紐補助部材４は、固定することなく、肩紐３の中間部３ａとアンダーベルト２の背面部２ａとの間に着脱自在に取り付けできるように、フックやボタン（図示せず）等の止着手段を兼備せしめても良い。これにより、既存のブラジャーにも簡単に応用できるので頗る便利であり、本実施例と同様、肩紐のずれ落ちを確実に阻止することができる。
【００２２】
因に、本明細書で言及している「服飾類」とは、肩紐を有するブラジャー、スリップ、キャミソール、水着などの衣類の他に、サスペンダー、ネックレス等の装身具をも総称するものであり、本発明はこれらに応用する場合の全てを包摂するものである。
【図面の簡単な説明】
【００２３】
【図１】本発明に係る肩紐補助部材を装着したブラジャーを示す斜視図である。
【図２】同ブラジャーの背面図である。
【図３】同ブラジャーの一部展開図である。
【図４】同ブラジャーを着用した状態を示す説明図である。
【符号の説明】
【００２４】
Ａ  ブラジャー
１  カップ部
１ａ  上縁
２  アンダーベルト
２ａ  背面部
２ｂ  フック側
３  肩紐
３ａ  中間部
３ｂ  取付位置
４  肩紐補助部材
Ｌ１    肩紐上半部の長さ
Ｌ２    肩までの距離  
【図１】
2005076130.tif 000003
【図２】
2005076130.tif 000004
【図３】
2005076130.tif 000005
【図４】
2005076130.tif 000006